(57)【特許請求の範囲】
【請求項１】
被写体を撮影する撮影手段と、
画像を表示する表示手段と、
前記撮影手段により撮影された画像をその撮影内容または撮影条件に応じて２種類以上のカテゴリのいずれかに分類する分類手段と、
過去に前記撮影手段により撮影され記録された画像の各々についての前記分類手段の分類結果に基づいて、前記２種類以上のカテゴリ毎の画像数の累計値または頻度を算出する算出手段と、
前記算出手段により算出された各カテゴリの算出結果を表すサブ画像であって、該各カテゴリのうち前記撮影手段による連続的な撮影によって得られたスルー画像が前記分類手段で分類されたカテゴリの算出結果を他のカテゴリの算出結果と区別可能な形式で表すサブ画像が、メイン画像としての前記スルー画像に重ねられた合成画像が前記表示手段に表示されるように制御する制御手段と、
を含む撮影装置。
【請求項２】
前記サブ画像は、枠画像を含んで構成され、前記スルー画像が前記分類手段で分類されたカテゴリの算出結果のみが該枠画像内に表示されると共に他のカテゴリの算出結果が該枠画像外に表示されるように該枠画像が配置された画像である
請求項１記載の撮影装置。
【請求項３】
前記制御手段は、前記スルー画像が前記分類手段で分類されたカテゴリの前記算出結果に応じて、前記合成画像の表示形式が異なるように前記表示手段を制御する
請求項１または請求項２記載の撮影装置。
【請求項４】
前記制御手段は、前記スルー画像が前記分類手段で分類されたカテゴリの前記算出結果が予め定められた第１の値以上の場合には、前記スルー画像が前記分類手段で分類されたカテゴリが示す撮影内容または撮影条件での撮影傾向が高いことを示す内容の音声を出力するように制御する第１の制御、および前記各カテゴリの算出結果を表すサブ画像と共に、前記スルー画像が前記分類手段で分類されたカテゴリが示す撮影内容または撮影条件での撮影傾向が高いことを示す内容の文字列を表す文字画像が、前記スルー画像に重ねられた合成画像が前記表示手段に表示されるように制御する第２の制御の少なくとも一方を行なう
請求項３記載の撮影装置。
【請求項５】
前記制御手段は、前記スルー画像が前記分類手段で分類されたカテゴリの前記算出結果が予め定められた第２の値以下の場合には、前記スルー画像が前記分類手段で分類されたカテゴリが示す撮影内容または撮影条件での撮影傾向が低いことを示す内容の音声を出力するように制御する第１の制御、および前記各カテゴリの算出結果を表すサブ画像と共に、前記スルー画像が前記分類手段で分類されたカテゴリが示す撮影内容または撮影条件での撮影傾向が低いことを示す内容の文字列を表す文字画像が、前記スルー画像に重ねられた合成画像が前記表示手段に表示されるように制御する第２の制御の少なくとも一方を行なう
請求項３に記載の撮影装置。
【請求項６】
前記制御手段は、過去に前記撮影手段により撮影され記録された画像の合計枚数が所定値以下の場合には、前記合成画像の表示を禁止する
請求項１〜請求項５のいずれか１項記載の撮影装置。
【請求項７】
前記分類手段は、被写体の構図、主要被写体の顔サイズの画角全体に占める割合、撮影シーン、主要被写体の種類、及び主要被写体の色の少なくとも１つの撮影内容、または撮影感度、シャッター速度、フラッシュの有無、及び撮影時に設定された撮影モードの少なくとも１つの撮影条件に応じて前記撮影手段により撮影された画像を分類する
請求項１〜請求項６のいずれか１項記載の撮影装置。
【請求項８】
前記分類手段の分類、及び前記制御手段の制御は、シャッターボタンが半押しの状態にされたときに行なわれる
請求項１〜請求項７のいずれか１項記載の撮影装置。
【請求項９】
被写体を撮影する撮影手段と、
画像を表示する表示手段と、
予め定められた２種類以上のカテゴリの各々の特徴を示す特徴情報を記憶したカテゴリ情報記憶手段と、
前記撮影手段による連続的な撮影によって得られたスルー画像の特徴を示す特徴情報をその撮影内容に応じて解析する解析手段と、
前記解析手段で解析されたスルー画像の特徴情報と前記カテゴリ情報記憶手段に記憶されている各カテゴリの特徴情報との差分値を算出する差分算出手段と、
前記差分算出手段で算出された差分値が所定値以下となるカテゴリの特徴情報を表すサブ画像がメイン画像としての前記スルー画像に重ねられた合成画像が前記表示手段に表示されるように制御し、前記差分算出手段の算出結果が所定値以下となるカテゴリが複数ある場合には、該複数のカテゴリの各々の特徴情報を表す複数のサブ画像が、メイン画像としての前記スルー画像に重ねられた合成画像が前記表示手段に表示されるように制御すると共に、該複数のサブ画像のうち、前記差分値が小さいカテゴリのサブ画像ほど強調表示されるように制御する制御手段と、
を含む撮影装置。
【請求項１０】
前記制御手段は、シャッターボタンが半押しの状態にされたときに、前記差分値が最も小さいカテゴリ以外のカテゴリのサブ画像を消去する
請求項９に記載の撮影装置。
【請求項１１】
被写体を撮影する撮影手段で撮影された画像を表す画像情報を記録した記録手段と、
画像を表示する表示手段と、
過去に前記撮影手段により撮影され記録された画像の各々をその撮影内容または撮影条件に応じて２種類以上のカテゴリのいずれかに分類する分類手段と、
前記分類手段で分類されたカテゴリ毎の画像数の累計値または頻度を算出する算出手段と、
前記記録手段から画像情報を読み出して前記表示手段に表示する場合に、前記算出手段により算出された各カテゴリの算出結果を表すサブ画像であって、前記読み出した画像情報が表す画像が前記分類手段で分類されたカテゴリの算出結果を他のカテゴリの算出結果と区別可能な形式で表すサブ画像が、メイン画像としての前記読み出した画像情報が表す画像に重ねられた合成画像が前記表示手段に表示されるように制御する制御手段と、
を含む画像再生装置。
【請求項１２】
前記サブ画像は、枠画像を含んで構成され、前記読み出した画像情報が表す画像が前記分類手段で分類されたカテゴリの算出結果のみが枠画像内に表示されると共に他のカテゴリの算出結果は該枠画像外に表示されるように該枠画像が配置された画像である
請求項１１記載の画像再生装置。
【請求項１３】
被写体を撮影する撮影手段で撮影された画像を表す画像情報を記録した記録手段と、
画像を表示する表示手段と、
過去に前記撮影手段により撮影され記録された画像の各々をその撮影内容または撮影条件に応じて２種類以上のカテゴリのいずれかに分類する分類手段と、
前記分類手段で分類されたカテゴリ毎の画像数の累計値または頻度を算出する算出手段と、
前記カテゴリを指定するための指定手段と、
前記指定手段で指定されたカテゴリに分類された画像の画像情報を前記記録手段から読み出し、前記算出手段により算出された各カテゴリの算出結果を表すサブ画像であって、前記指定手段で指定されたカテゴリの算出結果を他のカテゴリの算出結果と区別可能な形式で表すサブ画像が、メイン画像としての前記読み出した画像情報が表す画像に重ねられた合成画像が前記表示手段に表示されるように制御する制御手段と、
を含む画像再生装置。
【請求項１４】
前記サブ画像は、枠画像を含んで構成され、前記指定されたカテゴリの算出結果のみが枠画像内に表示されると共に他のカテゴリの算出結果は該枠画像外に表示されるように該枠画像が配置された画像である
請求項１３記載の画像再生装置。
【請求項１５】
前記制御手段は、前記指定手段で指定されたカテゴリの画像を表す画像情報が前記記録手段に記録されていない場合には、前記サブ画像のみ表示する
請求項１３または請求項１４記載の画像再生装置。
【請求項１６】
被写体を撮影する撮影手段で撮影された画像を表す画像情報を記録した記録手段と、
画像を表示する表示手段と、
過去に前記撮影手段により撮影され記録された画像の各々をその撮影内容または撮影条件に応じて２種類以上のカテゴリのいずれかに分類する分類手段と、
前記分類手段で分類されたカテゴリ毎の画像数の累計値または頻度を算出する算出手段と、
前記記録手段に記録された画像情報を指定するための第１の指定手段と、
前記カテゴリを指定するための第２の指定手段と、
前記第１の指定手段で指定された画像情報を前記記録手段から読み出して前記表示手段に表示する第１のモードと、前記第２の指定手段で指定されたカテゴリに分類された画像を表す画像情報を前記記録手段から読み出して前記表示手段に表示する第２のモードとを切り替える切替手段と、
前記切替手段により前記第１のモードに切り替えられた場合には、前記第１の指定手段で指定された画像情報を前記記録手段から読み出し、前記算出手段により算出された各カテゴリの算出結果を表すサブ画像であって、前記読み出した画像情報が表す画像が分類されたカテゴリの算出結果を他のカテゴリの算出結果と区別可能な形式で表すサブ画像が、メイン画像としての前記読み出した画像情報が表す画像に重ねられた合成画像が前記表示手段に表示されるように制御し、前記切替手段により前記第２のモードに切り替えられた場合には、前記第２の指定手段で指定されたカテゴリに分類された画像の画像情報を前記記録手段から読み出し、前記算出手段により算出された各カテゴリの算出結果を表すサブ画像であって、前記第２の指定手段で指定されたカテゴリの算出結果を他のカテゴリの算出結果と区別可能な形式で表すサブ画像が、メイン画像としての前記読み出した画像情報が表す画像に重ねられた合成画像が前記表示手段に表示されるように制御する制御手段と、
を含む画像再生装置。
【請求項１７】
前記サブ画像は、枠画像を含んで構成され、前記第１のモードにおいては、前記読み出した画像情報が表す画像が前記分類手段で分類されたカテゴリの算出結果のみが枠画像内に表示されると共に他のカテゴリの算出結果は該枠画像外に表示されるように該枠画像が配置された画像であり、
前記第２のモードにおいては、前記指定されたカテゴリの算出結果のみが枠画像内に表示されると共に他のカテゴリの算出結果は該枠画像外に表示されるように該枠画像が配置された画像である
請求項１６記載の画像再生装置。
【請求項１８】
前記制御手段は、前記切替手段でモードが切替えられたときに、前記第１または前記第２の指定手段で新たな指定がなさるまでは、切替直前に表示した画像の表示を切替後も継続する
請求項１６または請求項１７記載に記載の画像再生装置。
【請求項１９】
前記制御手段は、前記第２のモードにおいて前記第２の指定手段で指定されたカテゴリの画像を表す画像情報が前記記録手段に記録されていない場合には、前記サブ画像のみ表示する
請求項１６〜請求項１８のいずれか１項記載に記載の画像再生装置。
【請求項２０】
前記制御手段は、前記サブ画像のみ表示された状態で前記切替手段により前記第２のモードから前記第１のモードに切替えられた場合であって、前記第１の指定手段で画像情報が指定される前の期間は、予め定められた条件を満たす画像情報を前記記録手段から読み出して、前記合成画像が前記表示手段に表示されるように制御する
請求項１９に記載の画像再生装置。
【請求項２１】
前記２種類以上のカテゴリの各々の特徴を示す特徴情報を記憶したカテゴリ情報記憶手段を更に備え、
前記制御手段は、前記メイン画像として読み出した画像情報が表す画像のカテゴリの特徴情報を前記カテゴリ情報記憶手段から読出し、該読み出した特徴情報を表す画像が前記サブ画像と共に前記メイン画像に重ねられた合成画像が前記表示手段に表示されるように制御する
請求項１１〜請求項２０のいずれか１項記載の画像再生装置。
【発明の詳細な説明】
【技術分野】
【０００１】
本発明は、被写体を撮影する撮影装置、及び撮影した画像を再生する画像再生装置に関する。
【背景技術】
【０００２】
従来、撮影の都度ユーザの撮影傾向に関する情報を記録し、ユーザに今までの撮影傾向を知らせることにより撮影傾向に関する情報に対応した画像処理（画像レタッチ）を行なわせるようにする画像撮影装置が知られている（特許文献１参照。）。
【０００３】
撮影時に撮影パラメータが変更されたことを検知して、変更後の撮影パラメータにより類推される複数の撮影シーンの見本画像を表示するカメラ装置も知られている（特許文献２参照。）。
【０００４】
撮影時のスルー画像上に複数のサンプル画像を表示してユーザが選択可能とするとともに、ユーザにより選択されたサンプル画像に応じて撮影条件を決定し制御する撮像装置も知られている（特許文献３参照。）。
【０００５】
しかしながら、上記従来技術では、撮影者が撮影装置で見ている被写体の画像（例えば、撮影中に撮影装置に表示されるスルー画像や再生画像）が今までの撮影傾向や様々な撮影パターンの特徴と比較してどういった傾向にあるのか、あるいは撮影傾向がどのように変化しているかの把握が困難である。
【特許文献１】特開２００５−７２９４９号公報
【特許文献２】特開２００６−１８６６９５号公報
【特許文献３】特開２００６−２０３８１１号公報
【発明の開示】
【発明が解決しようとする課題】
【０００６】
本発明は上記事実を考慮して成されたもので、使用者が自身の撮影傾向を容易に把握できる撮影装置及び画像再生装置を提供することを目的とする。
【課題を解決するための手段】
【０００７】
上記目的を達成するために、第１の発明の撮影装置は、被写体を撮影する撮影手段と、画像を表示する表示手段と、前記撮影手段により撮影された画像をその撮影内容または撮影条件に応じて２種類以上のカテゴリのいずれかに分類する分類手段と、過去に前記撮影手段により撮影され記録された画像の各々についての前記分類手段の分類結果に基づいて、前記２種類以上のカテゴリ毎の画像数の累計値または頻度を算出する算出手段と、前記算出手段により算出された各カテゴリの算出結果を表すサブ画像であって、該各カテゴリのうち前記撮影手段による連続的な撮影によって得られたスルー画像が前記分類手段で分類されたカテゴリの算出結果を他のカテゴリの算出結果と区別可能な形式で表すサブ画像が、メイン画像としての前記スルー画像に重ねられた合成画像が前記表示手段に表示されるように制御する制御手段と、を含んで構成されている。
【０００８】
このような構成によれば、撮影時に累積値或いは頻度の情報をスルー画像上に表示することができ、現在の撮影が今までの傾向と比較してどういった傾向にあるか等、撮影傾向を容易に確認することができる。
【０００９】
第２の発明の撮影装置は、被写体を撮影する撮影手段と、画像を表示する表示手段と、予め定められた２種類以上のカテゴリの各々の特徴を示す特徴情報を記憶したカテゴリ情報記憶手段と、前記撮影手段による連続的な撮影によって得られたスルー画像の特徴を示す特徴情報をその撮影内容に応じて解析する解析手段と、前記解析手段で解析されたスルー画像の特徴情報と前記カテゴリ情報記憶手段に記憶されている各カテゴリの特徴情報との差分値を算出する差分算出手段と、前記差分算出手段で算出された差分値が所定値以下となるカテゴリの特徴情報を表すサブ画像がメイン画像としての前記スルー画像に重ねられた合成画像が前記表示手段に表示されるように制御し、前記差分算出手段の算出結果が所定値以下となるカテゴリが複数ある場合には、該複数のカテゴリの各々の特徴情報を表す複数のサブ画像が、メイン画像としての前記スルー画像に重ねられた合成画像が前記表示手段に表示されるように制御すると共に、該複数のサブ画像のうち、前記差分値が小さいカテゴリのサブ画像ほど強調表示されるように制御する制御手段と、を含んで構成されている。
【００１０】
このような構成によれば、撮影者の現在の撮影状況に近いカテゴリの特徴情報が表示されるため、撮影者自身の撮影傾向を知ることができる。
【００１１】
第３の発明の画像再生装置は、被写体を撮影する撮影手段で撮影された画像を表す画像情報を記録した記録手段と、画像を表示する表示手段と、過去に前記撮影手段により撮影され記録された画像の各々をその撮影内容または撮影条件に応じて２種類以上のカテゴリのいずれかに分類する分類手段と、前記分類手段で分類されたカテゴリ毎の画像数の累計値または頻度を算出する算出手段と、前記記録手段から画像情報を読み出して前記表示手段に表示する場合に、前記算出手段により算出された各カテゴリの算出結果を表すサブ画像であって、前記読み出した画像情報が表す画像が前記分類手段で分類されたカテゴリの算出結果を他のカテゴリの算出結果と区別可能な形式で表すサブ画像が、メイン画像としての前記読み出した画像情報が表す画像に重ねられた合成画像が前記表示手段に表示されるように制御する制御手段と、を含んで構成されている。
【００１２】
このような構成によれば、過去に撮影された画像の撮影時の撮影傾向を容易に確認することができる。
【００１３】
第４の発明の画像再生装置は、被写体を撮影する撮影手段で撮影された画像を表す画像情報を記録した記録手段と、画像を表示する表示手段と、過去に前記撮影手段により撮影され記録された画像の各々をその撮影内容または撮影条件に応じて２種類以上のカテゴリのいずれかに分類する分類手段と、前記分類手段で分類されたカテゴリ毎の画像数の累計値または頻度を算出する算出手段と、前記カテゴリを指定するための指定手段と、前記指定手段で指定されたカテゴリに分類された画像の画像情報を前記記録手段から読み出し、前記算出手段により算出された各カテゴリの算出結果を表すサブ画像であって、前記指定手段で指定されたカテゴリの算出結果を他のカテゴリの算出結果と区別可能な形式で表すサブ画像が、メイン画像としての前記読み出した画像情報が表す画像に重ねられた合成画像が前記表示手段に表示されるように制御する制御手段と、を含んで構成されている。
【００１４】
このような構成によれば、過去に撮影された画像のうち、所望の撮影傾向の画像を容易に確認することができる。
【００１５】
第５の発明の画像再生装置は、被写体を撮影する撮影手段で撮影された画像を表す画像情報を記録した記録手段と、画像を表示する表示手段と、過去に前記撮影手段により撮影され記録された画像の各々をその撮影内容または撮影条件に応じて２種類以上のカテゴリのいずれかに分類する分類手段と、前記分類手段で分類されたカテゴリ毎の画像数の累計値または頻度を算出する算出手段と、前記記録手段に記録された画像情報を指定するための第１の指定手段と、前記カテゴリを指定するための第２の指定手段と、前記第１の指定手段で指定された画像情報を前記記録手段から読み出して前記表示手段に表示する第１のモードと、前記第２の指定手段で指定されたカテゴリに分類された画像を表す画像情報を前記記録手段から読み出して前記表示手段に表示する第２のモードとを切り替える切替手段と、前記切替手段により前記第１のモードに切り替えられた場合には、前記第１の指定手段で指定された画像情報を前記記録手段から読み出し、前記算出手段により算出された各カテゴリの算出結果を表すサブ画像であって、前記読み出した画像情報が表す画像が分類されたカテゴリの算出結果を他のカテゴリの算出結果と区別可能な形式で表すサブ画像が、メイン画像としての前記読み出した画像情報が表す画像に重ねられた合成画像が前記表示手段に表示されるように制御し、前記切替手段により前記第２のモードに切り替えられた場合には、前記第２の指定手段で指定されたカテゴリに分類された画像の画像情報を前記記録手段から読み出し、前記算出手段により算出された各カテゴリの算出結果を表すサブ画像であって、前記第２の指定手段で指定されたカテゴリの算出結果を他のカテゴリの算出結果と区別可能な形式で表すサブ画像が、メイン画像としての前記読み出した画像情報が表す画像に重ねられた合成画像が前記表示手段に表示されるように制御する制御手段と、を含んで構成されている。
【００１６】
このような構成によれば、過去に撮影された画像の撮影時の撮影傾向を容易に確認することができると共に、過去に撮影された画像のうち、所望の撮影傾向の画像を容易に確認することができる。
【発明の効果】
【００１９】
以上説明したように本発明は、撮影装置の使用者が自身の撮影傾向を容易に把握できる、という優れた効果を有する。
【発明を実施するための最良の形態】
【００２０】
以下、図面を参照して本発明の実施形態を詳細に説明する。
【００２１】
［第１の実施の形態］
【００２２】
図１は、本実施の形態の撮影装置１０の構成を示すブロック図である。
【００２３】
撮影装置１０は、被写体からの光が入射する光学ユニットとして、ズームレンズ１１，絞り機構１４、及びフォーカスレンズ１７を備えている。ズームレンズ１１はズームモータ１２によって、フォーカスレンズ１７はオートフォーカスモータ１８によって光軸方向に移動可能である。ズームモータ１２は、モータドライバ１３によって駆動し、オートフォーカスモータ１８はモータドライバ１９によって駆動する。絞り機構１４の絞りは、アイリスモータ１５によって制御される。アイリスモータ１５は、モータドライバ１６によって駆動する。
【００２４】
更に、撮影装置１０は、光学ユニットからの撮像光に応じて被写体像の画像信号を生成するＣＣＤイメージセンサ２０と、ＣＣＤイメージセンサ２０から読み出された画像信号に含まれるノイズ成分を除去する相関二重サンプリング（ＣＤＳ：Correlated Double Sampling）処理を行うＣＤＳ回路２２と、ＣＤＳ回路２２により処理されたアナログ信号をデジタル信号に変換するデジタル／アナログ変換器（以下、Ａ／Ｄ変換器という）２３と、ＣＣＤイメージセンサ２０を駆動するためのタイミング信号を生成するタイミングジェネレータ（ＴＧ）２１と、を備えている。
【００２５】
主制御部であるＣＰＵ２４は、バス２５に接続され、バス２５を介して様々な回路が相互に接続されている。詳細には、Ａ／Ｄ変換器２３からの画像データをバス２５に供給する画像入力制御部２６と、入力された画像データに対して所定のデジタル信号処理を行う画像信号処理回路２７と、表示すべき画像を表す画像データを格納するためのＶＲＡＭ２８と、ＶＲＡＭ２８に格納された画像データに基づく画像を画像表示装置２９に表示させる制御を行う表示制御部３０と、がバス２５に接続されている。
【００２６】
さらに、フォーカスレンズ１７の焦点調整するために用いるコントラスト値を検出するＡＦ検出回路３１と、画像データに基づいて最適な露出及びホワイトバランスを検出するＡＥ（Auto Exposure）／ＡＷＢ（Auto White Balance）検出回路３２と、ＣＰＵ２４で実行される各種プログラムやパラメータ等の情報が予め記憶されているＥＥＰＲＯＭ（Electrically Erasable and Programmable Read Only Memory）３３、ワークメモリとして用いられるＳＤＲＡＭ（Synchronous Dynamic Random Access Memory）３４と、画像データを圧縮・伸張する圧縮伸張処理回路３５と、記録メディア３６に対して各種情報を読み書きするメディア制御部３７とがバス２５に接続されている。
【００２７】
以上のような構成の撮影装置１０では、ＣＣＤイメージセンサ２０から出力された被写体像を表すアナログ信号は、ＣＤＳ回路２２による処理が施され、Ａ／Ｄ変換器２３によりデジタル画像信号に変換された後、画像データとして、画像入力制御部２６からバス２５に入力される。この入力された画像データは、ＳＤＲＡＭ３４に一旦記憶される。
【００２８】
ＳＤＲＡＭ３４に記憶された画像データに基づいて、ＡＦ検出回路３１がコントラスト値を演算し、ＡＥ／ＡＷＢ検出回路３２がＡＥ演算を行う。ＣＰＵ２４は、これらの演算結果に基づいて、モータドライバ１８を介してフォーカスレンズ１７を合焦位置に移動させると共に、絞り機構１４及びＣＣＤイメージセンサ２０の電子シャッタ機能を適正な露光制御値（絞り値やシャッタスピード）に設定し、ＡＷＢ調整値を設定する。
【００２９】
また、ＣＰＵ２４には、シャッターボタン３８ａ、撮影倍率を変更し、被写体画像のズームアップ及びズームダウンを行うためにズームレンズ１１の動作を制御するズームスイッチ３８ｂ、デジタルカメラの撮影モードと再生モードとを切替えるためのモード切替スイッチ３８ｃ、十字キーなどのように画像表示装置２９に表示された選択項目を選択したり、再生モード中に読み出す画像データを選択したりするための十字キー３８ｄを含む操作部３８が接続されている（図５も参照）。
【００３０】
なお、撮影モードでは、ＣＣＤイメージセンサ２０で撮像された被写体の画像の画像データを所定のフレームレートで取り込み（ＶＲＡＭ２８に格納される）、該取り込んだ画像データの画像を連続的に画像表示装置２９に表示する（スルー画像表示）。レリーズスイッチ３８ａが全押しされると、そのとき該取り込んだ画像データが圧縮伸張処理回路３５で圧縮されて記録メディア３６に記録される。また、再生モードでは、記録メディア３６に記録された画像の画像データを記録メディア３６から読み出して圧縮伸張処理回路３５で伸張して画像表示装置２９に表示する。なお、画像データの記録先をここでは、撮影装置１０に着脱可能な記録メディア３６としたが、これに限定されず、例えば、撮影装置１０内に画像データを記録するための記憶手段を装備し、該記憶手段を画像データの記憶先とするようにしてもよい。
【００３１】
また、本実施の形態の撮影装置１０には、入力された画像データを解析する画像解析部３９と、画像解析部３９の解析結果に基づいてその画像の構図を判定する構図判定部４０と、記録メディア３６に記録された画像データの画像の各種構図の累計値の情報を作成する累計データ作成部４１と、スルー画像の構図情報及び累計データ作成部４１から出力された累計値情報とに基づいてグラフ画像データを生成するグラフデータ作成部４２とが設けられている。
【００３２】
次に、本実施の形態の作用を図２、図３を参照しながら説明する。
【００３３】
図２は、本実施の形態の主要構成部を抽出してその主要構成部を機能的かつ模式的に接続し、データの流れを示した機能構成図である。本来的には、各データは図１に示すようにバス２５を介して相互にやりとりされ、また画像データは一旦ＶＲＡＭ２８に記憶されて読み出されたり、或いは表示制御部３０が画像データを受け取って画像表示装置２９に画像を表示したりするが、図２ではバス２５等の構成を省略して構成を単純化し模式的に示している。また、図３は、本実施の形態の撮影モード時における撮影装置１０の処理を示すフローチャートである。
【００３４】
まず、モード切替スイッチ３８ｃにより撮影モードに切替えられると、ステップ１００で、ＣＰＵ２４は、表示制御部３０を制御してスルー画像の表示を開始する。
【００３５】
ステップ１０２では、ＣＰＵ２４はシャッターボタン３８ａが押下されたか否かを判定する。ここで、シャッターボタン３８ａが押下されていないと判定した場合には、ステップ１０４で、画像解析部３９にスルー画像の解析を行なわせる。画像解析部３９は、ＣＣＤイメージセンサ２０で撮像された被写体のスルー画像の画像データをＶＲＡＭ２８から取込み（図２（１）参照。）、スルー画像を解析して主要オブジェクトを検出する。本実施の形態では、主要オブジェクトとして人の顔を検出対象とした場合を例に挙げて説明する。なお、主要オブジェクトは必ずしも人の顔に限定されるものではなく、例えば、建築物や料理などの固有オブジェクトでもよいし、雲や木々のひとかたまりでもよい。また、テンプレートマッチングやエッジ検出などの処理により主要オブジェクトを検出する。
【００３６】
画像解析部３９は、解析結果として、検出した顔領域の個数を示す個数情報と、その顔領域の位置を示す座標情報とを含む顔情報を生成して構図判定部４０に出力する（図２（３）参照。）。
【００３７】
ステップ１０６では、構図判定部４０が構図情報を生成する。具体的には、まず構図判定部４０は、画像解析部３９から受け取った顔情報と、予めＥＥＰＲＯＭ３３に記録されている構図対応テーブルとに基づいて、スルー画像の構図種別を判定する。
【００３８】
図４に、ＥＥＰＲＯＭ３３に記録されている構図対応テーブルの一例を示す。図４に示す構図対応テーブルには、構図名が「日の丸」、「黄金分割」、「対比」、「対角線」、「曲線」、「三角」、「逆三角」、「パターン」、及び「その他」の９種類の構図種別が登録されている。そして、各構図種別毎に必要な顔領域の個数情報（必要数）と、撮像範囲における顔領域の位置を示す座標情報とが登録されている。例えば、「日の丸」の構図であれば、顔領域の個数は１つで、顔領域の位置として画面中央部を示す座標情報が登録されている。また、「黄金分割」の構図であれば、顔領域の個数は１つで、顔領域の位置として左上、右上、右下、左下を示す４つの座標情報が登録されている。また、「対比」の構図では、顔領域は２つで、その２つの顔領域が横一列に並んだ座標情報と、縦一列に並んだ座標情報とが登録されている。
【００３９】
構図判定部４０は、画像解析部３９から受け取った顔情報に含まれる個数情報及び座標情報を、構図対応テーブルに登録されている各構図種別の個数情報及び座標情報の各々と比較してその相関性を判断し、構図対応テーブルに登録されている構図種別の中からスルー画像の構図に最も近い（相関値が高い）構図種別を判定する。構図判定部４０は該判定した構図種別を示す構図情報を生成してグラフデータ作成部４２に出力する（図２（４）参照）。
【００４０】
ステップ１０８では、ＣＰＵ２４は、グラフデータ作成部４２が最新の累計値情報を取得済か否かを判定する。累計値情報は、過去に撮影して記録メディア３６に記録した画像における、構図種別毎の画像数の累計値を示す情報である。ステップ１０８で、ＣＰＵ２４は、グラフデータ作成部４２がまだ最新の累計値情報を取得済ではないと判定すると、ステップ１１０に移行し、以下の処理を行なう。
【００４１】
まず、ＣＰＵ２４は、該記録メディア３６から画像データを読み出して画像解析部３９に出力する（図２（２）参照。）。画像解析部３９は、前述のスルー画像の解析と同様に、各画像データの画像について顔情報を生成し、構図判定部４０に出力する（図２（３）参照）。構図判定部４０は、前述のスルー画像の構図種別の判定と同様に、各画像について構図種別を判定して構図情報を生成する。そして、生成した構図情報を累計データ作成部４１に出力する（図２（５）参照）。累計データ作成部４１は、構図種別毎にその数を累計し、構図種別毎の累算値を求める。そして、累計データ作成部４１は、構図種別毎の累算値を示す累算値情報を生成し、ＳＤＲＡＭ３４に保持すると共に、グラフデータ作成部４２に出力する（図２（６）参照。）。
【００４２】
次に、ステップ１１２では、グラフデータ作成部４２が、累計値情報とスルー画像の構図情報とに基づいて、統計グラフを作成し、スルー画像上に重ねて表示するグラフ画像の画像データ（以下、グラフ画像データ）を生成する。なお、グラフ画像は、構図種別毎の累計値の各々を示す累計値情報をグラフ化した画像であって、スルー画像が属する構図種別の累計値の部分のみが枠画像で囲まれた（他の構図種別の累計値は枠画像外）画像である。
【００４３】
更に、ステップ１１４で、グラフデータ作成部４２は、該生成したグラフ画像の画像データとスルー画像の画像データと合成した合成画像データを生成し、該合成画像データを表示制御部３０に出力する。これにより、グラフ画像がスルー画像に重ねられた合成画像が画像表示装置２９に表示される（図２（７）参照）。
【００４４】
図５に合成画像の表示例を示す。画像表示装置２９の表示画面に、スルー画像５０とグラフ画像５２との合成画像が表示されている。同図に示すように、グラフ画像５２は、横軸に各構図種別の文字列を示す画像、縦軸に各構図種別の累計値を数値化してプロットしたグラフの画像である。さらに、このグラフ画像５２は枠画像５４を含んでおり、この枠画像５４内にスルー画像が属する構図種別の累計値の画像が表示されている。この例では、スルー画像は「日の丸」の構図に分類されており、過去に「日の丸」の構図で撮影した割合が多いことがわかる。このように、このグラフ画像５２から、撮影者は、現在のスルー画像がどの構図種別に属するのか、そして、その構図種別が示す構図が過去撮影した画像の構図の傾向と比較して、多いか少ないか等の撮影傾向を知ることができる。
【００４５】
ステップ１１６では、上記合成画像表示後、該グラフ画像は変更せず一定時間待機する。ただしその間、スルー画像は更新される。従って、グラフ画像のみ変化しない合成画像が一定時間継続して表示される。一定時間経過後は、ステップ１０２に戻って、上記処理を繰り返す。ただし、すでに累計値情報が生成され取得済であるため、ステップ１０８では肯定判定され、ステップ１１０の処理は省略される。また、ステップ１１２では、累計値情報は変更無しであるが、スルー画像の構図情報が変化している場合があるため、新たにグラフ画像の画像データが生成されて、合成画像の画像データが生成される。
【００４６】
例えば、撮影者がフレーミングを変化させた（例えばズームアップした、或いはカメラが移動した）ことにより、スルー画像の解析結果が変化した場合には、グラフ画像の枠画像の位置が変化する。図６は、スルー画像５０の構図が変化して枠画像５４の位置が移動した状態を示す図である。図５では、スルー画像は「日の丸」の構図に分類され、グラフ画像５２の「日の丸」の領域に枠画像５４が配置されているが、図６では、フレーミングが変わり、スルー画像が「黄金分割」の構図に分類されたため、枠画像５４も、「黄金分割」の領域に移動している。
【００４７】
このように、ステップ１０２で肯定判定されるまでは、スルー画像を解析してグラフ画像５２の表示を更新する処理が繰り返される。
【００４８】
一方、ステップ１０２で、ＣＰＵ２４がシャッターボタン３８ａが全押しされたと判定した場合には、ステップ１１８で、ＣＰＵ２４は、該押下されたタイミングのスルー画像の画像データを記録メディア３６に記録する。なお、ステップ１１８で、記録したスルー画像の構図情報をＳＤＲＡＭ３４に保持しておく。
【００４９】
ステップ１２０で、ＣＰＵ２４は、撮影終了したか否かを判定する。例えば、モードが再生モードに切替えられた場合、或いは電源スイッチ（不図示）がＯＦＦされた場合には、撮影が終了したと判定する。この場合には、本フローチャートに示す処理を終了する。一方、撮影終了していないと判定した場合には、ステップ１０２に戻って、上記処理を繰り返す。なお、撮影後は、累算値情報が変わるため、ステップ１０８では否定判定され、ステップ１１０で、累算値情報が更新される。前述したように、記録したスルー画像の構図情報はＳＤＲＡＭ３４に保持されているため、別途ＳＤＲＡＭ３４に保持しておいた累計値情報を、該新たに撮影され記録された画像の構図情報により更新する。これにより、いずれかの構図種別の画像数が１増加する。ステップ１１２では、更新された累計値情報でグラフ画像の画像データが生成され、ステップ１１４でグラフ画像が更新された合成画像が表示される。
【００５０】
以上説明したように、現在の撮影構図の分析結果をスルー画像に重ねて表示することで、撮影者は今までの撮影傾向と比較して多い構図なのか、少ない構図なのかを容易に確認可能となる。
【００５１】
なお、本実施の形態では、累計データ作成部４１で、構図種別毎の累計値を示す累計値情報を生成し、グラフデータ作成部４２でこの累計値をグラフ化してグラフ画像を表示する例について説明したが、これに限定されず、例えば、累計データ作成部４１で、構図種別毎の画像数の全体に占める割合（頻度）の情報を生成し、これに基づいてグラフデータ作成部４２が頻度をグラフ化してグラフ画像を表示するようにしてもよい。
【００５２】
また、上記実施の形態では累計値情報を撮影時のタイミングで生成する例について説明したが、このタイミングは、これに限定されない。例えば、撮影終了時に記録メディア３６内の画像全てを対象として画像解析部３９で解析し、構図判定部４０で構図情報を求めて累計データ作成部４１で累計値情報を生成しておき、これを記録メディア３６に記録しておく。そして、次に撮影を開始するときに、該記録しておいた累計値情報を記録メディア３６から読み出して用いてもよい。そして、次回以降の撮影終了時には新たに撮影して記録した画像の解析結果から累計値情報を更新し、該更新した累計値情報を記録メディア３６に記録しておく。これにより、撮影中の処理負荷が軽減される。
【００５３】
また、記録メディア３６にスルー画像の画像を記録する際に、該記録する画像データと、構図判定部４０で判定された構図情報とをタグなどで関連付けて記録しておくようにしてもよい。累計データ作成部４１は、この関連付けられた構図情報を読み出して累計値情報を作成すればよいため、画像解析部３９及び構図判定部４０での重複した処理を防止でき、処理が効率化し、負荷が軽減する（図２（８）参照）。
【００５４】
なお、上記変形例の場合の累計値情報を記録する記録先は、記録メディア３６に限定されず、撮影装置１０内に装備された記憶装置であってもよいし、特に限定されない。
【００５５】
また、上記実施の形態では、記録メディア３６に記録された画像を対象として累計値情報を生成する例について説明したが、これに限定されず、例えば、撮影装置１０に接続されたコンピュータ上に記録された画像を対象としてもよいし、撮影装置１０に画像記録用の内蔵メモリがあれば、該内蔵メモリに記録された画像を対象としてもよい。
【００５６】
また、１つの記録メディア３６に記録されている画像を対象として累計値情報を生成する例について説明したが、これに限定されず、例えば、過去その撮影装置１０で撮影され記録された全ての画像について、解析結果や構図情報を撮影装置１０の内蔵メモリ等に保持しておけば、過去その撮影装置１０で撮影され記録された全ての画像についての累積的な撮影傾向が得られ、有用である。
【００５７】
また、合成画像の表示形式を、スルー画像が分類された構図種別の累計値あるいは頻度に基づいて変更してもよい。例えば、スルー画像が分類された構図種別の累計値が最も多い（或いは最も少ない）構図種別である場合には、グラフ画像の枠画像の表示色を異ならせたり枠画像を点滅させたりする等である。グラフ画像とスルー画像の合成画像に、更にメッセージ等の文字画像を重ね合わせた合成画像を生成して表示形式を変更してもよい。例えば、その構図種別の累計値（或いは頻度）が所定値α以上の場合には、その構図種別での撮影傾向が高いことを示す内容の文字列、例えば「あなたの好きな傾向の画像です。」のような文字列の画像を合成画像に含めて表示してもよい。このように、撮影頻度の多い構図を示し導くことにより、撮影者の好きな構図の撮影を可能とする。また、逆に、その構図種別の累計値（或いは頻度）が所定値β以下の場合には、その構図種別での撮影傾向が低いことを示す内容の文字列、例えば「珍しい傾向の画像です。撮ってみましょう！」のような文字列の画像を合成画像に含めて表示してもよい。撮影頻度の少ない構図を示し導くことにより、偏りのない撮影を可能とする。
【００５８】
また、撮影装置１０に音声出力部が備えられている場合には、上記累計値（或いは頻度）が所定値α以上の場合、あるいは上記累計値（或いは頻度）が所定値β以下の場合に表示する文字列の内容を示す音声が該音声出力部から出力されるようにＣＰＵ２４が制御してもよい。
【００５９】
また、上記実施の形態では、過去に撮影され記録された画像数に拘わらず、グラフ画像を表示する例について説明したが、例えば、その画像数が所定値より少ない場合には、グラフ画像の表示を禁止するように制御してもよい。画像数が少なすぎると、累計値情報（撮影傾向）は意味がないため、こうした制御は撮影者にとって都合がいい。
【００６０】
また、上記実施の形態では、画像を分類する２種類以上のカテゴリとして複数種類の構図種別を用いたが、分類するカテゴリはこれに限定されない。
【００６１】
例えば、撮影内容に応じて分類する場合には、以下のようなカテゴリで分類してもよい。
１）主要被写体の顔サイズのパーセンテージ（画角全体に占める割合）
２）撮影シーン・撮影場所（、海、陸、川、山、屋内）
３）主要被写体（人物、ペット、ラーメン）
４）色（赤、青、緑、白、黒、グレー）
撮影内容の解析は、テンプレートマッチングやエッジ検出処理により行なう。
【００６２】
また、撮影内容ではなく、撮影条件に応じて分類する場合には、以下のようなカテゴリで分類してもよい。
１）ISO感度（ISO100、200,,,,)
２）シャッター速度（1/2000、1/1000、1/500、、、、）
３）フラッシュ（ＯＮ、ＯＦＦ）
４）撮影モード（人物、夜景、、）
【００６３】
なお、４）の撮影モードであるが、人物撮影に適したＩＳＯ感度やシャッター速度が設定される撮影モードや風景撮影に適したＩＳＯ感度やシャッター速度が設定される撮影モード等、複数の撮影モードが用意されており、それらを切替えて撮影可能な撮影装置もある。このような撮影装置では、撮影時の撮影モードに応じて画像を分類できる。
【００６４】
過去に撮影され記録された画像の撮影条件は、撮影画像の画像データが、撮影条件を示すタグが付加されるExif形式等で記録される場合には、該Exifタグ等を参照すれば容易に得られる。また、スルー画像の撮影条件は、現在の設定を取得すればよい。
【００６５】
［第２の実施の形態］
【００６６】
本実施の形態では、スルー画像の解析結果に応じて、お勧めの構図パターンを表示して、撮影者の撮影を支援する撮影装置について説明する。
【００６７】
図７は、本実施の形態の撮影装置６０の構成を示すブロック図である。
【００６８】
本実施の形態の撮影装置６０は、第１の実施の形態の撮影装置１０の累計データ作成部４１及びグラフデータ作成部４２に代えて、差分算出部６１及び構図画像データ作成部６２を設けた点以外は第１の実施の形態の撮影装置１０と同一構成のため、同一構成の部分については説明を省略する。
【００６９】
本実施の形態の差分算出部６１は、画像解析部３９で解析されたスルー画像の解析結果（顔情報）と、ＥＥＰＲＯＭ３３に記憶されている構図対応テーブルとに基づいて、スルー画像の構図の特徴量と、構図対応テーブルに登録されている構図の特徴量との差分を求める。ここでは、顔領域の個数及びその座標位置をスルー画像や構図対応テーブルの各構図の特徴量とし、該特徴量同士の差分を求める。
【００７０】
構図判定部４０は、差分算出部６１で算出された差分に基づいて、構図対応テーブルに登録されている構図のうち、現在のスルー画像の構図に近い構図を判定する。そして、該判定した構図を示す構図情報を生成して構図画像データ作成部６２に出力する。
【００７１】
構図画像データ作成部６２は、構図判定部４０から受け取った構図情報に基づいて構図枠の画像データを生成し、該画像データをスルー画像の画像データと合成した合成画像データを生成する。表示制御部３０は、該合成画像データに基づいて合成画像を画像表示装置２９に表示する。
【００７２】
次に、本実施の形態の作用を図８、図９を参照しながら説明する。
【００７３】
図８は、本実施の形態の主要構成部を抽出してその主要構成部を機能的かつ模式的に接続し、データの流れを示した機能構成図である。本来的には、各データは図７に示すようにバス２５を介して相互にやりとりされ、また画像データは一旦ＶＲＡＭ２８に記憶されて読み出されたり、表示制御部３０が画像データを受け取って画像表示装置２９に画像を表示したりするが、図８ではバス２５等の構成を省略して構成を単純化し模式的に示している。また、図９は、本実施の形態の撮影モード時における撮影装置６０の処理を示すフローチャートである。
【００７４】
まず、モード切替スイッチ３８ｃにより撮影モードに切替えられると、ステップ１４０で、ＣＰＵ２４は、表示制御部３０を制御してスルー画像の表示を開始する。
【００７５】
ステップ１４２では、ＣＰＵ２４はシャッターボタン３８ａが半押し（以下、Ｓ１オンと呼称）されたか否かを判定する。ここで、シャッターボタン３８ａがＳ１オン状態とされていないと判定した場合には、ステップ１４４で、画像解析部３９にスルー画像の解析を行なわせる。画像解析部３９は、ＣＣＤイメージセンサ２０で撮像された被写体のスルー画像の画像データをＶＲＡＭ２８から取込み（図８（１）参照。）、スルー画像を解析して主要オブジェクトを検出する。本実施の形態では、主要オブジェクトとして第１の実施の形態と同様に、人の顔を検出対象とした場合を例に挙げて説明する。
【００７６】
画像解析部３９は、解析結果として、検出した顔領域の個数を示す個数情報と、その顔領域の位置を示す座標情報とを含む顔情報を生成して差分算出部６１に出力する（図８（２）参照。）。
【００７７】
ステップ１４６では、差分算出部６１が、画像解析部３９から出力された顔情報と、ＥＥＰＲＯＭ３３に記憶されている構図対応テーブルとに基づいて、スルー画像の構図の特徴量と、構図対応テーブルに登録されている構図の特徴量との差分を求める。
【００７８】
すなわち、スルー画像の顔領域の個数と、構図対応テーブルに記憶されている各構図種別の顔領域の個数との差分を求めると共に、スルー画像の顔領域の位置を示す座標値と、構図対応テーブルに記憶されている各構図種別の顔領域の位置を示す座標値との差分を求める。差分算出部６１は、該差分情報を構図判定部４０に出力する（図８（３）参照）。
【００７９】
ステップ１４８では、構図判定部４０は、差分情報が示す差分が所定値未満となった構図種別を選択し、この構図種別を示す構図情報を生成して構図画像データ作成部６２に出力する（図８（４）参照）。
【００８０】
ステップ１５０では、構図画像データ作成部６２は、構図判定部４０から受け取った構図情報に基づいて構図枠の画像データを生成する。より具体的には、構図情報が示す構図種別の顔領域の個数情報及び座標情報を構図対応テーブルから検索し、座標情報が示す位置に枠画像が配置された構図枠の画像データを生成する。更に、構図枠の画像データとスルー画像の画像データ（図８（５）参照）とを合成した合成画像データを生成し、この合成画像データを表示制御部３０に出力する（図８（６）参照）。表示制御部３０は、該合成画像データに基づいて合成画像を画像表示装置２９に表示する。
【００８１】
図１０に、構図枠の画像の表示例を示す。この例では、スルー画像に、「日の丸」に該当する構図枠の画像が合成された合成画像が表示されている。なお、ここでは、一種類の構図種別の構図枠の画像が表示された例について説明したが、差分が所定値未満の構図種別が複数種類あった場合には、複数種類の構図枠の画像を同時に表示する。
【００８２】
また、本実施の形態では、構図判定部４０は、差分値が小さい順に候補構図をソーティングして、差分値が一定値以下となる構図が２以上あれば最大２つを抽出するようにしている。そして該抽出した複数種類の構図枠を表示する場合には、その表示形態を異ならせるようにする。例えば、一方の構図種別を太枠線で表示し他方の構図種別を細枠線とで表示する等である。その表示形態はここでは最低２種類あればよいため、該２種類の表示形態の情報を予め内蔵メモリに記憶し設定しておいてもよいし、構図種別毎にその表示形態を定めておき、構図対応テーブルにその情報を登録しておくようにしてもよい。図１１に、複数の構図枠の画像が表示された表示例を示す。図１１に示すように、「日の丸」の構図枠５４ｂは細破線枠で示され、「黄金分割」の構図枠５４ａが太破線枠で示されている。
【００８３】
ステップ１５２では、上記合成画像表示後、該構図枠の画像は変更せず一定時間待機する。ただしその間、スルー画像は更新される。従って、構図枠の画像のみ変化しない合成画像が一定時間継続して表示される。一定時間経過後は、ステップ１４２に戻って、上記処理を繰り返す。
【００８４】
一方、ステップ１４２で、Ｓ１がＯＮ状態となった場合には、ステップ１５４に移行し、ＣＰＵ４２は、構図画像データ作成部６２に、差分値が最小の構図枠の画像のみを残し、他の構図枠は消去すると共に、該残した構図枠の画像が強調表示されるような合成画像を生成させる。図１２に構図枠の画像５４ａが強調表示された表示例を示す。これにより、最も近い構図種別を直感的に把握できる。
【００８５】
ステップ１５６では、ＣＰＵ２４は、Ｓ１がキャンセルされたか否か（すなわち、シャッターボタン３８ａに対する押圧が停止され、ボタン位置が元に戻ったか否か）を判定する。ステップ１５６でＳ１がキャンセルされたと判定された場合には、ステップ１４２に戻って、上記と同様に処理を繰り返す。また、ステップ１５６で否定判定された場合には、ステップ１５８に移行し、シャッターボタン３８ａが全押し（以下、Ｓ２オンと呼称）されたか否かを判定する。ここでＳ２オン状態になっていないと判定された場合には、ステップ１５６に戻る、またステップ１５８でＳ２オン状態となったと判定された場合には、ステップ１６０に移行し、ＣＰＵ２４は、該全押しされたタイミングのスルー画像の画像データを記録メディア３６に記録する。このとき、差分値がもっとも小さくなった構図種別の情報を撮影画像の画像データと関連付けて記憶してもよい。この情報は、例えば、第１の実施の形態で説明した撮影装置１０の機能を本実施の形態の撮影装置６０にも設けた場合に、該記憶した情報を用いて容易にグラフ表示できる。
【００８６】
ステップ１６２で、ＣＰＵ２４は、撮影終了したか否かを判定する。例えば、モードが再生モードに切替えられた場合、或いは電源スイッチ（不図示）がＯＦＦされた場合には、撮影が終了したと判定する。この場合には、本フローチャートに示す処理を終了する。一方、撮影終了していないと判定した場合には、ステップ１４２に戻って、上記処理を繰り返す。
【００８７】
なお、上記では、Ｓ１がオン状態となったときに差分値の最も小さい構図種別の構図枠画像を強調表示する例について説明したが、Ｓ１がオンか否かに関わらず差分値の最も小さい構図種別の構図枠画像を強調表示するようにしてもよい。強調表示により、現在のスルー画像の構図がどの構図種別に近いのかが容易に判断できる。また、その場合に、Ｓ１がオン後の強調表示が、Ｓ１オン前よりも更に強く強調表示されるようにしてもよい。
【００８８】
また、３つ以上の構図枠画像を表示する場合であっても、差分値が小さい構図の構図枠ほど強調表示するようにしてもよい。
【００８９】
以上説明したように、撮影者の現在の撮影状況に近いお勧めの構図がスルー画上で表示されるため、お勧め構図に合わせての撮影が容易となる。
【００９０】
［第３の実施の形態］
【００９１】
本実施の形態では、第１の実施の形態で行なったグラフ画像の表示の更新をＳ１ロックした場合に行なう例について説明する。
【００９２】
なお、本実施の形態の撮影装置の構成は、第１の実施の形態と同一であるため説明を省略する。
【００９３】
図１３は、本実施の形態の撮影モード時における撮影装置１０の処理を示すフローチャートである。
【００９４】
まず、モード切替スイッチ３８ｃにより撮影モードに切替えられると、ステップ１７０で、ＣＰＵ２４は、表示制御部３０を制御してスルー画像の表示を開始する。
【００９５】
ステップ１７２では、ＣＰＵ２４が、シャッターボタン３８ａが半押し（Ｓ１オン）になったか否かを判断する。ここで、Ｓ１オンになったと判定された場合に、ステップ１７４に移行する。ステップ１７４〜ステップ１８４までの処理は、第１の実施の形態の図３のステップ１０４〜１１４までの処理と同一であるため説明を省略する。
【００９６】
ステップ１８６では、ＣＰＵ２４が、シャッターボタン３８ａが全押し（Ｓ２オン）になったか否かを判断する。ここで否定判定された場合には、ステップ１８８に移行し、Ｓ１オン状態がキャンセルされたか否かを判断する。ここでキャンセルされていないと判定された場合には、ステップ１８６に戻り、キャンセルされたと判定された場合には、ステップ１７２に戻る。
【００９７】
また、ステップ１８６で、Ｓ２オン状態となったと判定された場合には、ステップ１９０に移行し、ＣＰＵ２４は、該押下されたタイミングのスルー画像の画像データを記録メディア３６に記録する。また、記録したスルー画像の構図情報をＳＤＲＡＭ３４に保持しておく。そして、ステップ１９２で、ＣＰＵ２４は、撮影終了したか否かを判定する。ここで、撮影が終了したと判定した場合には、本フローチャートに示す処理を終了する。一方、撮影終了していないと判定した場合には、ステップ１７２に戻って、上記処理を繰り返す。
【００９８】
このように、本実施の形態では、Ｓ１がオンしたか否かを判別し、Ｓ１オンしたタイミングに限りスルー画像を解析してグラフ表示を更新し、Ｓ１オン後は、グラフ画像は更新されない状態での合成画像の表示が継続される。またＳ１オン後に、Ｓ２オンになった場合には、撮像および画像記録を行なう。そして、撮影終了の指示を受けるまでは、再びＳ１オン待ちとなる。
【００９９】
以上説明したように、Ｓ１オンのタイミングに限りスルー画像を解析するため、スルー画表示中に随時解析処理を実行する場合と比較して処理負荷が軽くなり、電池消耗を防ぐことが可能となる。
【０１００】
なお、本実施の形態では、第１の実施の形態で説明したグラフ画像を表示する場合を例に挙げて説明したが、これに限定されず、第２の実施の形態で説明した構図枠画像を表示する場合であっても、本実施の形態で説明したようにＳ１オンされたときのみ構図枠画像を表示するように構成してもよい。
【０１０１】
［第４の実施の形態］
【０１０２】
図１４は、本実施の形態の画像再生装置７０の構成を示すブロック図である。この画像再生装置７０は、第１の実施の形態の撮影装置１０から被写体を撮影する撮影手段としての構成要素を除き、記録された撮影画像を再生する再生機能のみを有する画像再生装置である。
【０１０３】
この画像再生装置７０は、ＣＰＵ２４、ＥＥＰＲＯＭ３３、ＳＤＲＡＭ３４、画像信号処理回路２７、圧縮伸張処理回路３５、画像表示装置２９の表示制御を行なう表示制御部３０、記録メディア３６に対するデータの読み書きを行なうメディア制御部３７、画像解析部３９、構図判定部４０、累計データ作成部４１、グラフデータ作成部４２を備え、互いにバス２５で接続されている。ここで、図１４に示す符号と、図１に示す符号が同一の構成要素は、それぞれ、同一の機能を有する構成要素を意味するため説明を省略する。
【０１０４】
また、ＣＰＵ２４には、第１の実施の形態と同様に操作部３８が接続されているが、本実施の形態では、撮影手段としての構成要素は装備されていないため、この操作部３８には、シャッターボタン３８ａやズームスイッチ３８ｂ等の操作手段は装備されておらず、画像表示装置２９に表示された選択項目を選択したり、再生したい画像の画像データを選択したりするための十字キー３８ｄ、通常の再生モードから、グラフ表示モードに切替えるための切替ボタン３８ｅが装備されている。本実施の形態では、通常の再生モードで切替ボタン３８ｅを１回押下するとグラフ表示モードに切り替り、グラフ表示モードの状態で切替ボタン３８ｅを更に１回押下すると通常の再生モードに戻るように設計されている。
【０１０５】
ここで、グラフ表示モードとは、再生対象となった画像の構図種別とこれまで撮影され記録された画像の構図種別の傾向を示すグラフ画像を再生対象となった画像に重ね合わせて表示するモードである。
【０１０６】
図１５は、本実施の形態の主要構成部を抽出してその主要構成部を機能的かつ模式的に接続し、データの流れを示した機能構成図である。本来的には、例えば図１４に示すようにバス２５を介して相互にデータをやりとりしたり、ＳＤＲＡＭ３４に各種情報を一時的に保持したり、ＶＲＡＭ２８等に一旦画像データを保持したりといったデータの流れがあるが、図１５ではそういったバス２５等の構成を省略して構成を単純化し模式的に示している。
【０１０７】
図１６は、通常の再生モードからグラフ表示モードに切替えられたときの処理の流れを示すフローチャートである。
【０１０８】
ステップ２００では、記録メディア３６から画像データを読み出して、画像表示装置２９に再生画像を表示する。本実施の形態では、画像再生装置７０の電源を入れると、自動的に記録メディア３６に最初に記録された画像データの画像が表示される。図１７に通常の再生モードにおける表示例を示す。
【０１０９】
ステップ２０２では、ＣＰＵ２４は切替ボタン３８ｅが押下されたか否かを判定する。ここでＣＰＵ２４が、切替ボタン３８ｅが押下されたと判定した場合には、ステップ２０４に移行し、既にグラフ表示がされているか否か、すなわち、画像再生装置７０が、グラフ表示モードの状態であるか否かを判定する。
【０１１０】
ステップ２０４で、グラフ表示されていると判定された場合には、グラフ表示モードから通常の再生モードに切替えるために切替ボタン３８ｅが押下されたのであるから、ステップ２２０に移行し、ＣＰＵ２４は、グラフ表示モードから通常の再生モードに切替え、再生画像のみを表示してグラフ画像の表示をオフする。その後、ステップ２０２に戻る。
【０１１１】
一方、ステップ２０４でグラフ表示されていないと判定された場合には、ステップ２０６で、ＣＰＵ２４は、記録メディア３６に記録されている全画像データの画像について、構図判定部４０で構図情報が生成済か否かを判定する。本実施の形態では、構図情報が生成されると、該構図情報は記録メディア３６の各画像データに対応付けて該記録メディア３６に記憶される。従って、ＣＰＵ２４は、該記録メディア３６の記録状態から判定する。
【０１１２】
ステップ２０６で、ＣＰＵ２４は、全ての画像データについて構図情報が生成されていないと判定した場合には、ステップ２０８に移行し、ＣＰＵ２４は、該記録メディア３６から画像データを読み出して画像解析部３９に出力する（図１５（１）参照。）。画像解析部３９は、第１の実施の形態と同様に、各画像データの画像について顔情報を生成し、構図判定部４０に出力する（図１５（２）参照）。
【０１１３】
ステップ２１０で、構図判定部４０は、第１の実施の形態の構図種別の判定と同様に、各画像について構図種別を判定して構図情報を生成し、構図判定部４０は、生成した構図情報を記録メディア３６に各画像データに対応付けて記録し（図１５（３）参照）、ステップ２１２に移行する。
【０１１４】
一方、ステップ２０６で、ＣＰＵ２４が構図情報は生成済と判定した場合には、ステップ２０８、２１０の処理は行なわれず、ステップ２１２に移行する。
【０１１５】
ステップ２１２では、ＣＰＵ２４は、グラフデータ作成部４２が累計値情報を取得済か否かを判定する。累計値情報は、過去に撮影して記録メディア３６に記録した画像における、構図種別毎の画像数の累計値を示す情報である。ステップ２１２で、ＣＰＵ２４は、グラフデータ作成部４２がまだ累計値情報を取得済ではないと判定すると、ステップ２１４に移行し、以下の処理を行なう。
【０１１６】
累計データ作成部４１は、記録メディア３６から各画像データの構図情報を読み出す（図１５（４）参照）。そして、累計データ作成部４１は、記録メディア３６に記録されている全ての画像データについて、構図種別毎にその数を累計し、構図種別毎の累算値を求め、該求めた構図種別毎の累算値を示す累算値情報を生成し、グラフデータ作成部４２に出力する（図１５（５）参照。）。
【０１１７】
なお、ステップ２１２で累計値情報取得済であると判定された場合には、ステップ２１４の処理はスキップしてステップ２１６に移行する。
【０１１８】
次に、ステップ２１６では、グラフデータ作成部４２が、十字キー３８ｄで指定された画像の画像データ及び構図情報を記録メディア３６から読み出す（図１５（６）参照）と共に、該読み出した構図情報と累計データ作成部４１から受け取った累計値情報とに基づいて、統計グラフを作成し、再生画像上に重ねて表示するグラフ画像の画像データ（以下、グラフ画像データ）を生成する。なお、グラフ画像は、第１の実施の形態と同様に、構図種別毎の累計値の各々を示す累計値情報をグラフ化した画像であって、ユーザが再生指定した画像が属する構図種別（すなわち読み出した構図情報が示す構図種別）の累計値の部分のみが枠画像で囲まれた（他の構図種別の累計値は枠画像外）画像である。
【０１１９】
更に、ステップ２１８で、グラフデータ作成部４２は、該生成したグラフ画像の画像データと上記記録メディア３６から読み出した画像データとを合成した合成画像データを生成し、該合成画像データを表示制御部３０に出力する。これにより、グラフ画像が再生画像に重ねられた合成画像が画像表示装置２９に表示される（図１５（７）参照）。
【０１２０】
図１８に合成画像の表示例を示す。画像表示装置２９の表示画面に、再生画像７２とグラフ画像７４との合成画像が表示されている。同図に示すように、グラフ画像７４は、横軸に各構図種別の文字列を示す画像、縦軸に各構図種別の累計値を数値化してプロットしたグラフの画像である。さらに、このグラフ画像７４は枠画像７６を含んでおり、この枠画像７６内に再生画像が属する構図種別の累計値の画像が表示されている。この例では、再生画像は「対角線」の構図に分類されており、過去に「対角線」の構図で撮影した割合があまり多くはないことがわかる。このように、このグラフ画像７４から、撮影者は、現在表示している再生画像がどの構図種別に属するのか、そして、その構図種別が示す構図が過去撮影した画像の構図の傾向と比較して、多いか少ないか等の撮影傾向を知ることができる。
【０１２１】
また、ステップ２０２で切替ボタン３８ｅが押下されていないと判定した場合には、ステップ２２２に移行し、再生画像に変更指示があったか否か、すなわち、十字キー３８ｄが操作され、再生対象となる画像が新たに指定されたか否かを判定する。ここで、再生画像変更指示があったと判定した場合には、ステップ２２４で、指示された画像を画像表示装置２９に表示し、ステップ２２６で、現在の設定がグラフ表示モードであるか、通常の再生モードであるか否かを判定する。グラフ画像が表示されていればグラフ表示モードであり、グラフ画像が表示されていなければ通常の再生モードである。
【０１２２】
ステップ２２６で、ＣＰＵ２４が現在の設定がグラフ表示モードであると判定した場合には、ステップ２０６に移行して、上記ステップ２０６〜２１８の処理を繰り返し、グラフデータ作成部４２は、該新たに指定された画像の画像データと構図情報とを記録メディア３６から読出し、枠画像の位置を該読み出した構図情報に基づいて移動させたグラフ画像の画像データを生成し、上記と同様に合成画像を生成して表示する。このように十字キー３８ｄで再生画像の指定に応じて合成画像が更新される（図１９参照）。
【０１２３】
一方、ステップ２２６で、現在の設定は通常の再生モードであると判定された場合には、再生画像を表示したままステップ２０２に戻る。
【０１２４】
また、ステップ２２２で、再生画像に変更指示がないと判定された場合には、ステップ２２８で、再生終了か否か、すなわち、本画像再生装置７０の電源スイッチ（不図示）がＯＦＦされたか否かを判定する。ここで、再生終了と判定された場合には、本フローチャートに示す処理を終了する。一方、再生終了でないと判定された場合には、ステップ２０２に戻って、上記処理を繰り返す。
【０１２５】
このように、再生対象画像の構図の分析結果を表示することで、その画像が今までの撮影傾向と比較して多い構図だったのか少ない構造だったのかを容易に確認可能となる。
【０１２６】
なお、本実施の形態では、グラフ表示モードに切替えてから構図情報を生成する例について説明したが、これに限定されず、例えば、記録メディア３６が装着されたときに、構図情報を生成して、記録メディア３６の画像データに対応付けて記録メディア３６に記録するようにしてもよい。また、累計値情報も記録メディア３６が装着されたときに生成して、記録メディア３６、或いはＳＤＲＡＭ３４等に記録しておくようにしてもよい。
【０１２７】
また、上記実施の形態では、画像を分類する２種類以上のカテゴリとして複数種類の構図種別を用いたが、分類するカテゴリはこれに限定されず、第１の実施の形態で説明したように、様々な撮影内容、撮影条件に応じて分類することができる。
【０１２８】
また、上記実施の形態では、記録メディア３６に記録された画像を対象として累計値情報を生成する例について説明したが、これに限定されず、例えば、画像再生装置７０に接続されたコンピュータ上に記録された画像を対象としてもよいし、画像再生装置７０に画像記録用の内蔵メモリがあれば、該内蔵メモリに記録された画像を対象としてもよい。
【０１２９】
［第５の実施の形態］
【０１３０】
図２０は、本実施の形態の画像再生装置８０の構成を示すブロック図である。本実施の形態の画像再生装置８０は、第４の実施の形態の画像再生装置７０に画像検索処理部８２を設けた構成となっている。
【０１３１】
ここで、図２０に示す符号と、図１及び図１４に示す符号が同一の構成要素は、それぞれ、同一の機能を有する構成要素を意味するため説明を省略する。
【０１３２】
本実施の形態では、ＣＰＵ２４には、第１の実施の形態と同様に操作部３８が接続されているが、本実施の形態でも、撮影手段としての構成要素は装備されていないため、この操作部３８には、シャッターボタン３８ａやズームスイッチ３８ｂ等の操作手段は装備されていない。本実施の形態では、操作部３８として、図２３に示すように、画像表示装置２９に表示された選択項目を選択したり、画像の再生中に読み出す画像データを選択したりするための十字キー３８ｄ、画像再生装置８０をグラフ表示モードまたは絞込モードに切替えるための切替ボタン３８ｆが装備されている。本実施の形態では、グラフ表示モードと絞込モードとを切替ボタン３８ｆを押下する毎に交互に切替えるように設計されている。
【０１３３】
ここで、グラフ表示モードとは、第４の実施の形態と同様に、再生対象となった画像の構図種別とこれまで撮影され記録された画像の構図種別の傾向を示すグラフ画像を再生対象となった画像に重ね合わせて表示するモードである。また、絞込モードとは、ユーザが複数の構図種別から１つを選択した場合に、これまで撮影され記録された画像の中から該選択された構図種別に該当する画像を検索して表示するモードである。
【０１３４】
本実施の形態の画像再生装置８０に設けられている画像検索処理部８２は、画像再生装置８０が絞込モードに切替えられたときに動作し、ユーザが選択した構図種別に該当する画像を検索する。
【０１３５】
図２１は、本実施の形態の主要構成部を抽出してその主要構成部を機能的かつ模式的に接続し、データの流れを示した機能構成図である。本来的には、例えば図２０に示すようにバス２５を介して相互にデータをやりとりしたり、ＳＤＲＡＭ３４に各種情報を一時的に保持したり、ＶＲＡＭ２８等に一旦画像データを保持したりといったデータの流れがあるが、図２１ではそういったバス２５等の構成を省略して構成を単純化し模式的に示している。
【０１３６】
以下、本実施の形態の作用を説明する。なお、本実施の形態では、構図情報や累計値情報は、記録メディア３６が装着されたときに第４の実施の形態と同様に生成され、構図情報は記録メディア３６の画像データに対応付けて記録メディア３６に記録するようにし、累計値情報も記録メディア３６の所定領域に記録しておくように構成されているものとする（図２１（１）〜（７）参照。）。このように、本実施の形態では、構図情報及び累計値情報の生成タイミングが異なる点を除いては、第４の実施の形態と同様であるため、グラフ表示モードにおける作用の説明を省略する。
【０１３７】
図２２は、切替ボタン３８ｆが押下されてグラフ表示モードから絞込モードに切替えられたときの処理の流れを示すフローチャートである。なお、グラフ表示モードから絞込モードに切替えられた直後は、図２３に示すように、切替直前に表示されている合成画像（グラフ画像８６と再生画像８４の合成画像）の表示が継続されているものとする。  ステップ２４０では、ＣＰＵ２４は、絞込モードに対応するようにキー割当を変更する。十字キー３８ｄは、グラフ表示モードでは、再生画像の変更を指示する（すなわち、表示したい画像を指定する）ために用いられ、絞込モードでは、表示したい構図を指示するために用いられる。より具体的には、絞込モードでは、十字キー３８ｄの操作によってグラフ画像の枠画像を移動させることより構図種別を選択する。従って、十字キー３８ｄをこのような機能に切替える。
【０１３８】
ステップ２４２では、ＣＰＵ２４は、グラフデータ作成部４２に変更情報を出力して、新たなグラフ画像の画像データを生成させ、グラフ画像８６に含まれる枠画像８８の表示を変更させる。図２３の時点では、枠画像８８が太線の枠のみで表示されているが、変更後は図２４に示すように、枠線の形態を変更すると共に、枠部分８９ａの左右に矢印アイコン８９ｂが追加された枠画像８９に変更する。このように矢印アイコン８９ｂを追加することにより、グラフ画像８６に表示された枠画像８９が、ユーザにより操作可能であることを視覚的にユーザに示す。
【０１３９】
次に、ステップ２４４で切替ボタン３８ｆが押下されたか否かを判定する。ここで、切替ボタン３８ｆが押下されたと判定された場合には、ステップ２５６に移行し、キー割当とグラフ画像の表示形態を基に戻し、グラフ表示モードに移行する。グラフ表示モードでの動作は第４の実施の形態と同様であるため、説明を省略する。
【０１４０】
一方、ステップ２４４で、ＣＰＵ２４は、切替ボタン３８ｆが押下されていないと判定した場合には、ステップ２４６で、ＣＰＵ２４は、十字キー３８ｄが操作されたか否かを判定する。ここで、操作されていないと判定した場合には、ステップ２４４に戻る。また、十字キー３８ｄが操作されたと判定した場合には、ステップ２４８で、「カレント構図種別」を変更する。「カレント構図種別」は、ユーザが指定した構図種別をいい、例えば、十字キー３８ｄの左ボタンが操作された場合には、現在枠画像８９が指示する（枠画像８９内部に表示されている）構図種別の左側の構図種別が指定されたことになる。従って「カレント構図種別」を該新たに指定された構図種別に変更する。そして、ＣＰＵ２４は、「カレント構図種別」の変更情報をグラフデータ作成部４２に出力して、枠画像８９を変更後の「カレント構図種別」が示す構図種別の領域に移動させた新たなグラフ画像８６を生成させると共に、該グラフ画像８６と再生画像８４との合成画像を生成させ、枠画像８９の表示を、該指定された構図種別の名称及び累計値の部分に移動させる。すなわち、ここではまずグラフ画像８６の方を更新する。
【０１４１】
更に、ステップ２５０で、画像検索処理部８２が、「カレント構図種別」が示す構図種別に属する画像の画像データを記録メディア３６から検索する（図２１（８）参照。）。前述したように、構図情報は、画像データに対応付けて記録メディア３６に記録されている。従って、記録メディア３６に記録されている各画像データ構図情報を確認することにより、該当する画像データを検索できる。
【０１４２】
ステップ２５２で、検索が成功した場合には、画像検索処理部８２は、該検索した画像データが再生画像８４として表示されるように、該画像データをグラフデータ作成部４２に出力する（図２１（９）参照）。グラフデータ作成部４２は、上記ステップ２４８で変更したグラフ画像を該検索した画像データの画像に重ね合わせた合成画像の画像データを生成して、表示制御部３０に出力し、画像表示装置２９に該合成画像を表示させる（図２１（１０）参照。）。
【０１４３】
図２５に検索が成功して再生画像を変更した例を示す。図２５に示すように、構図種別「対比」が指定され、該「対比」の構図種別に属する画像が再生されている。なお、検索された画像データが複数ある場合には、その画像データのうち、予め定められた条件を満たす画像データの画像を表示するようにしてもよい。例えば、撮影日時が最も新しい画像データ或いは最も古い画像データ等である。また、複数検索された全画像データの画像の表示を一定時間間隔で順次切替えて表示するようにしてもよい。
【０１４４】
なお、ステップ２５２で、検索が失敗した場合には、ステップ２５８で、ＣＰＵ２４は、枠画像８９を含むグラフ画像８６の表示はそのまま継続するが、再生画像は非表示となるような制御情報をグラフデータ作成部４２に出力する。これにより、一面黒の画像とグラフ画像８６とを合成した合成画像がグラフデータ作成部４２で生成され表示される。
【０１４５】
なお、このような状態で、切替ボタン３８ｆが押下された場合には、ステップ２５６では、ＣＰＵ２４は、予め定められた条件を満たす画像データを記録メディア３６から読み出して、該画像データの画像とグラフ画像が合成された合成画像が表示されるようにグラフデータ作成部４２を制御する。予め定められた条件を満たす画像データは、例えば、記録メディア３６に記録されている画像データの、撮影日時が最も古い画像データ、或いは最も新しい画像データとしてもよい。
【０１４６】
このように、ユーザが指定した構図種別に属する画像を表示することにより、実際の撮影画像と対応付けて構図を知ることができる。また、指定した構図に属する画像のみを表示できるため、検索絞り込みとして利用できる。
【０１４７】
［第６の実施の形態］
【０１４８】
本実施の形態では、第４の実施の形態で説明したグラフ画像の表示に加え、再生画像が属する構図種別の構図枠の画像も再生画像に重ねて表示する例について説明する。
【０１４９】
本実施の形態の構成図は、第４の実施の形態と同様であるため、図示及び説明を省略する。
【０１５０】
図２６は、本実施の形態において、通常の再生モードからグラフ表示モードに切替えられたときの処理の流れを示すフローチャートである。
【０１５１】
ステップ２７０〜２９０の処理、ステップ２９４の処理、及びステップ２９８〜３０４の処理は、第４の実施の形態の図１６に示したステップ２００〜２１８、ステップ２２０、及びステップ２２２〜２２８の処理に対応しており、同じ処理を実行するため、ここでは説明を省略する。第４の実施の形態の図１６のフローチャートと異なる点は、ステップ２９０のグラフ画像と再生画像との合成画像を表示する処理の後に、ステップ２９２で、更に構図枠画像を合成した合成画像を表示する点、及び、ステップ２９４のグラフ画像の表示をオフした後に、ステップ２９６で構図枠画像の表示をオフする点である。
【０１５２】
本実施の形態のＥＥＰＲＯＭ３３には、構図種別とその特徴を示す情報とが対応付けて登録された構図対応テーブルが記憶されている。図２７に、本実施の形態の構図対応テーブルの一例を示す。この構図対応テーブルには、第１の実施の形態と同様、９種類の構図種別が登録されており、各構図種別毎に必要な顔領域の個数情報（必要数）と、撮像範囲における顔領域の位置を示す座標情報と、更に各構図種別の構図を示す構図枠の画像を画像表示装置２９に表示するときの表示形態の情報が登録されている。本実施の形態では、表示形態の情報として、主要オブジェクト（顔領域）の位置を示す矩形域と、該矩形域とを結ぶ線の配置が定義されている。
【０１５３】
グラフデータ作成部４２は、ステップ２９２で、グラフ画像と再生画像との合成画像を生成した後、該構図対応テーブルから再生画像の構図情報が示す構図種別に対応する表示形態の情報を上記構図対応テーブルから読み出して、該表示形態の情報に従って構図枠の画像の画像データを生成し、該画像データと、グラフ画像の画像データと、再生画像の画像データとを合成した合成画像データを生成する。この合成画像データを表示制御部３０に出力することで、画像表示装置２９に、構図枠画像を含む合成画像を表示させる。
【０１５４】
図２８は、グラフ表示モードに移行した後、グラフ画像９３、構図枠画像９２、及び再生画像９１を合成した合成画像が表示された表示例を示している。この例では、「対角」構図の表示形態情報に基づいて、２個の矩形域と１本の線が構図枠画像９２として表示されている。このように、本実施の形態では、グラフ表示モードに移行した後、再生画像９１が属する構図が明確に判る構図枠画像９２が表示される。
【０１５５】
ステップ２７２で否定判定されると、ステップ２９８に移行するが、そこで十字キー３８ｄが操作されて再生画像の変更指示が行なわれると、ステップ２９８で肯定判定されて該指示のあった再生画像を表示し、更に現在のモードがグラフ表示モードであれば、ステップ３０２で肯定判定されて、ステップ２７６に移行し、グラフ画像、構図枠画像が更新された合成画像の表示が行なわれる。図２９は、十字キー３８ｄの操作により、次の再生画像９１が表示指示された場合の合成画像の表示例である。このように、再生画像９１の指定が変更されると、該画像の属する構図種別に応じて、グラフ画像９３の枠画像９９と、構図枠画像９２が変更された合成画像が表示される。
【０１５６】
このように、本実施の形態によれば、再生画像が属する構図種別の構図枠の画像が再生画像に重ねられて表示されるため、直感的に構図を判断し理解できる。
【０１５７】
なお、本実施の形態において、ステップ２９０および２９２の処理は、逆の順序で実行してもよいし、同時に実行してもよい。また、ステップ２９４および２９６の処理も、逆の順序で実行してもよいし、同時に実行してもよい。
【０１５８】
［第７の実施の形態］
【０１５９】
図３０は、本実施の形態の画像再生装置９６の構成を示すブロック図である。本実施の形態の画像再生装置９６は、第４の実施の形態の画像再生装置７０に属性値メニュー作成部９７及び画像検索処理部９８を設けた構成となっている。
【０１６０】
ここで、図２に示す符号と、図１及び図１４に示す符号が同一の構成要素は、それぞれ、同一の機能を有する構成要素を意味するため説明を省略する。
【０１６１】
本実施の形態では、ＣＰＵ２４には、第１の実施の形態と同様に操作部３８が接続されているが、本実施の形態でも、撮影手段としての構成要素は装備されていないため、この操作部３８には、シャッターボタン３８ａやズームスイッチ３８ｂ等の操作手段は装備されていない。本実施の形態では、操作部３８として、図３３に示すように、画像表示装置２９に表示された選択項目を選択したり、画像の再生中に読み出す画像データを選択したりするための十字キー３８ｄ、画像再生装置９６を傾向変化表示モードに切替えるための切替ボタン３８ｇが装備されている。本実施の形態では、通常の再生モードと傾向変化表示モードとを切替ボタン３８ｇを押下する毎に交互に切替えるように設計されている。
【０１６２】
ここで、傾向変化表示モードとは、これまで撮影され記録された画像のうち、ユーザが選択した属性値に該当する画像の構図種別の傾向を示すグラフ画像を表示するモードである。
【０１６３】
本実施の形態の画像再生装置９６に設けられている属性値メニュー作成部９７は、記録メディア３６に記録されている画像の属性情報を読出し、画像表示装置２９に表示するための属性値メニューを生成する。
【０１６４】
本実施の形態の画像再生装置９６に設けられている画像検索処理部９８は、画像表示装置２９に表示された属性値メニューからユーザが選択した属性値に該当する画像の画像データを検索する。
【０１６５】
図３１は、本実施の形態の主要構成部を抽出してその主要構成部を機能的かつ模式的に接続し、データの流れを示した機能構成図である。本来的には、例えば図３０に示すようにバス２５を介して相互にデータをやりとりしたり、ＳＤＲＡＭ３４に各種情報を一時的に保持したり、ＶＲＡＭ２８等に一旦画像データを保持したりといったデータの流れがあるが、図３１ではそういったバス２５等の構成を省略して構成を単純化し模式的に示している。
【０１６６】
以下、本実施の形態の作用を説明する。なお、本実施の形態では、構図情報は、記録メディア３６が装着されたときに第４の実施の形態と同様に生成し、生成した構図情報は記録メディア３６の画像データに対応付けて記録メディア３６に記録するように構成されているものとする（図３１（１）〜（３）参照。）。
【０１６７】
まず、ユーザが、図３３に示すように通常の再生モードで再生画像を表示している状態で、切替ボタン３８ｇを押下したとする。これにより、ＣＰＵ２４は、画像再生装置９６のモードを通常の再生モードから傾向変化表示モードに切替える。
【０１６８】
図３２は、切替ボタン３８ｇが押下されて通常の再生モードから傾向変化表示モードに切替えられたときの処理の流れを示すフローチャートである。
【０１６９】
ステップ３３０で、まずＣＰＵ２４は、傾向変化表示モードに対応するようにキー割当を変更する。十字キー３８ｄは、通常の再生モードでは、再生画像の変更を指示する（すなわち、表示したい画像を指定する）ために用いられ、傾向変化表示モードでは、属性値メニューから所望の属性値を選択するために用いられる。従って、ここでは、十字キー３８ｄの機能は属性値メニューを選択する役割に変更される。
【０１７０】
更に、ステップ３３２では、属性値メニュー作成部９７は、記録メディア３６から画像データに付与されている属性情報を読み出す。例えば、撮影画像の画像データが、撮影条件や撮影日時等を含む属性情報を示すタグが付加されるExif形式等で記録メディア３６に記録される場合には、該Exifタグ等を読み出すことで属性情報が得られる（図３１（４）参照。）。
【０１７１】
属性値メニュー作成部９７は、読み出した属性情報に基づいて属性値メニューを作成して、該属性値メニューの画像を画像表示装置２９に表示する。例えば、撮影日時に基づいて作成する場合には、記録されている再生対象全ての画像データの撮影日と現在の日時（タイムスタンプ）を基に作成する。図３４に属性値メニューの表示例を示す。この例では、現在のタイムスタンプが2007/07/31で記録メディア３６に記録されている画像の撮影日が2002/0801から2003/07/31の範囲内であった場合には、現在日時からさかのぼること１年刻みで３年分と１年弱分の計４つの属性値がメニュー項目として表示される（図３１（５）参照。）。なお、本実施の形態では、属性値メニューにおいて、先頭のメニュー項目を枠で囲み先頭メニュー項目が選択された状態を初期値として表示する。また、属性値メニュー表示後、再生画像は非表示となる。
【０１７２】
ステップ３３４では、ＣＰＵ２４は、属性値メニューのうち、先頭に表示されているメニュー項目の属性値の情報を画像検索処理部９８に出力し、画像検索処理部９８は、該先頭メニュー項目の属性値に該当する画像（本例では撮影日が2003/07/31以前の画像）に対応付けて記憶されている構図情報を読み出す（図３１（６）参照）。画像検索処理部９８は、読み出した構図情報を累計データ作成部４１に出力する（図３１（７）参照）。累計データ作成部４１は、受け取った構図情報に基づいて、各構図種別毎の累計値（或いは頻度）を求め、該累計値（或いは頻度）を示す情報である累計値情報をグラフデータ作成部４２に出力する（図３１（８）参照）。グラフデータ作成部４２は、該累計値情報に基づいて、統計グラフを作成し、表示すべきグラフ画像の画像データ（グラフ画像データ）を生成する。本実施の形態のグラフ画像は、同じ属性値に該当する画像の構図種別毎の累計値の各々を示す累計値情報をグラフ化した画像である。グラフデータ作成部４２は、属性値メニューを表す画像データとグラフ画像データとを合成した合成画像データを生成し、該合成画像を画像表示装置２９に表示する（図３１（９）参照。）。これにより、図３４に示すように、属性値メニューの下方にグラフ画像が表示される。
【０１７３】
次に、ステップ３３６で、切替ボタン３８ｇが押下されたか否かを判定する。ここで、切替ボタン３８ｇが押下されたと判定された場合には、ステップ３４６に移行し、キー割当し、ステップ３４６でグラフ画像の表示形態を基に戻して通常の再生モードに移行する。
【０１７４】
一方、ステップ３３６で、ＣＰＵ２４は、切替ボタン３８ｇが押下されていないと判定した場合には、ステップ３３８で、ＣＰＵ２４は、十字キー３８ｄが操作されたか否かを判定する。ここで、操作されていないと判定した場合には、ステップ３３６に戻る。また、十字キー３８ｄが操作されたと判定した場合には、ステップ３４０で、十字キー３８ｄの操作に応じて属性値メニューのメニュー項目を選択する。
【０１７５】
ステップ３４２では、上記ユーザの十字キー３８ｄの操作によって選択された属性値メニューのメニュー項目に該当する属性値に属する画像の構図情報を画像検索処理部９８が読出し、累計データ作成部４１に出力する。累計データ作成部４１は、受け取った構図情報に基づいて、各構図種別毎の累計値（或いは頻度）を求め、該累計値（或いは頻度）を示す情報である累計値情報をグラフデータ作成部４２に出力する（図３１（８）参照）。グラフデータ作成部４２は、該累計値情報に基づいて、統計グラフを作成し、表示すべきグラフ画像の画像データ（グラフ画像データ）を生成する。グラフデータ作成部４２は、属性値メニューを表す画像データとグラフ画像データとを合成した合成画像データを生成し、該合成画像を画像表示装置２９に表示する（図３１（９）参照。）。これにより、図３５に示すように、新たに選択された属性値に該当する画像のグラフ画像が属性値メニューの下方に表示される。そしてステップ３３６に戻る。
【０１７６】
このように、属性値ごとに画像の構図に関するグラフ画像を表示するようにしたため、撮影時の構図の傾向が、特定期間を経てどう変化したかを容易に確認可能となる。
【０１７７】
なお、本実施の形態では属性値を撮影日とする例について説明したが、本発明はこれに限定されず、例えば、撮影時間や再生時間の累計値、撮影者を識別する識別情報等を属性値として用いて処理するようにしてもよい。例えば、撮影時間毎にグラフ画像を表示すれば、その時間帯での撮影傾向の変化を確認でき、再生時間の累計値毎にグラフ画像を表示すれば、よく見る或いは見せる（好きな）画像の撮影傾向を確認でき、撮影者毎にグラフ画像を表示すれば、撮影者毎の撮影傾向の違いを確認できる。
【０１７８】
また、上記実施の形態では属性値メニューから１つのメニュー項目しか選択できない例について説明したが、これに限定されず、２以上のメニュー項目を選択できるように構成してもよい。その場合には、選択されたそれぞれの属性値に該当する画像のグラフ画像を全て画像表示装置２９に表示する。
【０１７９】
［その他変形例］
【０１８０】
なお、本発明は、上述した実施の形態に限定されるものではなく、特許請求の範囲に記載された発明の範囲内で様々な設計上の変更を行うことができる。例えば、第４〜７の実施の形態の機能を、第１〜３の実施の形態の撮影装置に組み込んでもよい。
【図面の簡単な説明】
【０１８１】
【図１】第１の実施の形態の撮影装置の構成を示すブロック図である。
【図２】第１の実施の形態の主要構成部を抽出してその主要構成部を機能的かつ模式的に接続し、データの流れを示した機能構成図である。
【図３】第１の実施の形態の撮影モード時における撮影装置の処理を示すフローチャートである。
【図４】ＥＥＰＲＯＭに記録されている構図対応テーブルの一例を示す図である。
【図５】第１の実施の形態の合成画像の表示例を示す図である。
【図６】スルー画像の構図が変化して枠画像の位置が移動した状態を示す図である。
【図７】第２の実施の形態の撮影装置の構成を示すブロック図である。
【図８】第２の実施の形態の主要構成部を抽出してその主要構成部を機能的かつ模式的に接続し、データの流れを示した機能構成図である。
【図９】第２の実施の形態の撮影モード時における撮影装置の処理を示すフローチャートである。
【図１０】構図枠の画像の表示例を示す図である。
【図１１】複数の構図枠の画像が表示された表示例を示す図である。
【図１２】構図枠の画像が強調表示された表示例を示す図である。
【図１３】第３の実施の形態の撮影モード時における撮影装置の処理を示すフローチャートである。
【図１４】第４の実施の形態の画像再生装置の構成を示すブロック図である。
【図１５】第４の実施の形態の主要構成部を抽出してその主要構成部を機能的かつ模式的に接続し、データの流れを示した機能構成図である。
【図１６】通常の再生モードからグラフ表示モードに切替えられたときの処理の流れを示すフローチャートである。
【図１７】通常の再生モードにおける表示例を示す図である。
【図１８】第４の実施の形態の合成画像の表示例を示す図である。
【図１９】再生画像が変更された場合の合成画像の表示例を示す図である。
【図２０】第５の実施の形態の画像再生装置の構成を示すブロック図である。
【図２１】第５の実施の形態の主要構成部を抽出してその主要構成部を機能的かつ模式的に接続し、データの流れを示した機能構成図である。
【図２２】第５の実施の形態において、切替ボタンが押下されてグラフ表示モードから絞込モードに切替えられたときの処理の流れを示すフローチャートである。
【図２３】グラフ表示モードで表示された合成画像の表示例を示す図である。
【図２４】絞込表示モードで表示された合成画像の表示例を示す図である。
【図２５】検索が成功して再生画像を変更した例を示す図である。
【図２６】第６の実施の形態において、通常の再生モードからグラフ表示モードに切替えられたときの処理の流れを示すフローチャートである。
【図２７】第６の実施の形態の構図対応テーブルの一例を示す図である。
【図２８】グラフ表示モードに移行した後、グラフ画像、構図枠画像、及び再生画像を合成した合成画像が表示された表示例を示す図である。
【図２９】十字キーの操作により、次の再生画像が表示指示された場合の合成画像の表示例を示す図である。
【図３０】第７の実施の形態の画像再生装置の構成を示すブロック図である。
【図３１】第７の実施の形態の主要構成部を抽出してその主要構成部を機能的かつ模式的に接続し、データの流れを示した機能構成図である。
【図３２】切替ボタンが押下されて通常の再生モードから傾向変化表示モードに切替えられたときの処理の流れを示すフローチャートである。
【図３３】属性値メニューの表示例を示す図である。
【図３４】選択された属性値に該当する画像のグラフ画像が属性値メニューの下方に表示された表示例を示す図である。
【図３５】新たに選択された属性値に該当する画像のグラフ画像が属性値メニューの下方に表示された表示例を示す図である。
【符号の説明】
【０１８２】
１０   撮影装置
２０   ＣＣＤイメージセンサ
２９   画像表示装置
３０   表示制御部
３６   記録メディア
３７   メディア制御部
３８   操作部
３９   画像解析部
４０   構図判定部
４１   累計データ作成部
４２   グラフデータ作成部
６０   撮影装置
６１   差分算出部
６２   構図画像データ作成部
７０   画像再生装置
８０   画像再生装置
８２   画像検索処理部
９６   画像再生装置
９７   属性値メニュー作成部
９８   画像検索処理部
【図１】
0004842232.tif 000002
【図２】
0004842232.tif 000003
【図３】
0004842232.tif 000004
【図４】
0004842232.tif 000005
【図５】
0004842232.tif 000006
【図６】
0004842232.tif 000007
【図７】
0004842232.tif 000008
【図８】
0004842232.tif 000009
【図９】
0004842232.tif 000010
【図１０】
0004842232.tif 000011
【図１１】
0004842232.tif 000012
【図１２】
0004842232.tif 000013
【図１３】
0004842232.tif 000014
【図１４】
0004842232.tif 000015
【図１５】
0004842232.tif 000016
【図１６】
0004842232.tif 000017
【図１７】
0004842232.tif 000018
【図１８】
0004842232.tif 000019
【図１９】
0004842232.tif 000020
【図２０】
0004842232.tif 000021
【図２１】
0004842232.tif 000022
【図２２】
0004842232.tif 000023
【図２３】
0004842232.tif 000024
【図２４】
0004842232.tif 000025
【図２５】
0004842232.tif 000026
【図２６】
0004842232.tif 000027
【図２７】
0004842232.tif 000028
【図２８】
0004842232.tif 000029
【図２９】
0004842232.tif 000030
【図３０】
0004842232.tif 000031
【図３１】
0004842232.tif 000032
【図３２】
0004842232.tif 000033
【図３３】
0004842232.tif 000034
【図３４】
0004842232.tif 000035
【図３５】
0004842232.tif 000036